(57)【要約】【課題】光学式の位置検出装置を簡易な構成とし、検出領域において複数の対象物体の位置を検出可能とする。【解決手段】位置検出装置は、検出領域（１０Ｒ）に対して第１の位置検出光を出射する第１の位置検出用光源（１２Ａ）と、検出領域に対して第２の位置検出光を出射する第２の位置検出用光源（１２Ｂ）と、検出領域を少なくとも２分割してなる第１領域（１０ＲＡ）及び第２領域（１０ＲＢ）の夫々に対応して設けられ、該対応する第１領域及び第２領域において第１及び第２の位置検出光が対象物体（Ｏｂ）によって反射された光を夫々検出する複数の第１の光検出器（１５Ａ、１５Ｂ）と、を備える。【選択図】図１
2010198548.tif 000002
【特許請求の範囲】
【請求項１】
検出領域内における対象物体の位置を検出する位置検出装置であって、
前記検出領域に対して第１の位置検出光を出射する第１の位置検出用光源と、
前記検出領域に対して第２の位置検出光を出射する第２の位置検出用光源と、
前記検出領域を少なくとも２分割してなる第１領域及び第２領域の夫々に対応して設けられ、該対応する第１領域及び第２領域において前記第１及び第２の位置検出光が前記対象物体によって反射された光を夫々検出する複数の第１の光検出器と、
を備えることを特徴とする位置検出装置。
【請求項２】
前記複数の第１の光検出器は、各々の光検出可能領域が前記検出領域において互いに重ならないように、配置されることを特徴とする請求項１に記載の位置検出装置。
【請求項３】
前記複数の第１の光検出器によって検出される検出値に基づいて前記対象物体の位置情報を取得する位置情報取得手段を備えることを特徴とする請求項１又は２に記載の位置検出装置。
【請求項４】
前記複数の第１の光検出器は、各々の光検出可能領域を調節する調節部材を夫々有することを特徴とする請求項１から３のいずれか一項に記載の位置検出装置。
【請求項５】
前記第１の位置検出光が入射される第１の光入射面、前記第２の位置検出光が入射される第２の光入射面、並びに、前記第１及び第２の光入射面に交差し、入射された前記第１及び第２の位置検出光を前記検出領域に対して出射する光出射面を有する導光板を備えることを特徴とする請求項４に記載の位置検出装置。
【請求項６】
前記複数の第１の光検出器は、前記導光板の第１辺に沿って配列され、
前記複数の第１の光検出器の各々の光検出可能領域は、前記第１辺に交わる方向に延びるように、前記調節部材によって調節されていることを特徴とする請求項５に記載の位置検出装置。
【請求項７】
前記複数の第１の光検出器は、前記導光板に対して前記光出射面側に配置されることを特徴とする請求項５又は６に記載の位置検出装置。
【請求項８】
前記複数の第１の光検出器は、前記導光板に対して前記光出射面と反対側に配置されることを特徴とする請求項５又は６に記載の位置検出装置。
【請求項９】
前記検出領域を前記第１領域及び第２領域とは異なる分割範囲で少なくとも２分割してなる第３領域及び第４領域の夫々対応して設けられ、該対応する第３領域及び第４領域において前記第１及び第２の位置検出光が前記対象物体によって反射された光を夫々検出する複数の第２の光検出器を備える
ことを特徴とする請求項１から８のいずれか一項に記載の位置検出装置。
【請求項１０】
前記複数の第１の光検出器と前記複数の第２の光検出器とは、互いに異なるタイミングで光を検出するように駆動されることを特徴とする請求項９に記載の位置検出装置。
【請求項１１】
請求項１から１０のいずれか一項に記載の位置検出装置と、
前記検出領域に少なくとも部分的に重なる表示領域を有する電気光学パネルと、
を備えることを特徴とする電気光学装置。
【請求項１２】
請求項１１に記載の電気光学装置を具備してなることを特徴とする電子機器。
【発明の詳細な説明】
【技術分野】
【０００１】
本発明は、例えば対象物体の位置を検出する位置検出装置、このような位置検出装置を備える液晶装置等の電気光学装置、及びこのような電気光学装置を備える電子機器の技術分野に関する。
【背景技術】
【０００２】
この種の位置検出装置として、例えば抵抗膜式、超音波式、静電容量式、光学式など、種々の方式のタッチパネルが知られている。例えば特許文献１及び２には、液晶装置等の電気光学装置の表示画面に重ねて使用される光学式タッチパネルに関して、表示画面の画質低下を招くことなく座標入力を可能ならしめると共に、装置全体の小型化を図るための技術が開示されている。
【先行技術文献】
【特許文献】
【０００３】
【特許文献１】特開２００４−２９５６４４号公報
【特許文献２】特開２００４−３０３１７２号公報
【発明の概要】
【発明が解決しようとする課題】
【０００４】
しかしながら、上述した光学式タッチパネルでは、表示画面の近傍に、検出すべき位置座標の分解能に対応する多数の光源及び光検出器或いは光スイッチや導光構造などを配列させる必要があり、構造が複雑になってしまうという技術的問題点がある。また、上述した光学式タッチパネルでは、その構成によっては、検出領域内に同時に複数の物体が配置された場合、それら複数の物体を一つの物体として検出してしまうおそれがあるという技術的問題点がある。
【０００５】
本発明は、例えば上述した問題点に鑑みなされたものであり、簡易な構成を有し、検出領域において複数の対象物体の位置を検出可能な位置検出装置、このような位置検出装置を備える電気光学装置、及びこのような電気光学装置を備える電子機器を提供することを課題とする。
【課題を解決するための手段】
【０００６】
本発明の位置検出装置は上記課題を解決するために、検出領域内における対象物体の位置を検出する位置検出装置であって、前記検出領域に対して第１の位置検出光を出射する第１の位置検出用光源と、前記検出領域に対して第２の位置検出光を出射する第２の位置検出用光源と、前記検出領域を少なくとも２分割してなる第１領域及び第２領域の夫々に対応して設けられ、該対応する第１領域及び第２領域において前記第１及び第２の位置検出光が前記対象物体によって反射された光を夫々検出する複数の第１の光検出器と、を備える。
【０００７】
本発明の位置検出装置によれば、その動作時には、第１及び第２の位置検出用光源から第１及び第２の位置検出光が検出領域に入射される。尚、本発明に係る「検出領域」は、対象物体の位置を検出すべき領域であり、平面領域或いは空間領域として規定される。また、第１及び第２の位置検出光は、直接的に検出領域に対して出射されてもよいし、例えば導光板を介して検出領域に対して出射されるなど、間接的に検出領域に対して出射されてもよい。例えば指やタッチペン等の対象物体が検出領域内に配置された場合、検出領域に入射された第１及び第２の位置検出光が、対象物体によって反射され、この反射された光が第１の光検出器によって検出される。対象物体によって反射される第１及び第２の位置検出光の各々が、その位置検出用光源から対象物体まで伝搬する距離（即ち、第１の位置検出光が第１の位置検出用光源から対象物体まで伝搬する距離、及び第２の位置検出光が第２の位置検出用光源から対象物体まで伝搬する距離）は、検出領域内における対象物体の位置によって変化する。従って、対象物体によって反射される第１及び第２の位置検出光を第１の光検出器によって検出することにより、検出された検出値（例えば、各位置検出光の光量或いは強度）に基づいて、例えば、第１及び第２の位置検出光の光量比や位相差等のデータを導出でき、このデータから対象物体の位置情報を取得することができる（即ち、検出領域内における対象物体の位置を検出することができる）。
【０００８】
本発明では特に、複数の第１の光検出器は、検出領域を少なくとも２分割してなる第１領域及び第２領域の夫々に対応して設けられ、該対応する第１領域及び第２領域において第１及び第２の位置検出光が対象物体によって反射された光を夫々検出する。
【０００９】
例えば、第１の光検出器は、検出領域を２つに分割してなる２つの第１及び第２領域に夫々対応して１つずつ設けられ、対応する第１及び第２領域において第１及び第２の位置検出光が対象物体によって反射された光を検出する。即ち、検出領域を２つに分割してなる２つの第１及び第２領域に夫々対応して１つずつ設けられた２つの第１の光検出器のうち、一方の第１の光検出器は、２つの第１及び第２領域のうち対応する一方の領域からの光を検出し、他方の第１の光検出器は、２つの第１及び第２領域のうち対応する他方の領域からの光を検出する。よって、例えば、２つの対象物体が検出領域において２つの第１及び第２領域の各々に１つずつ同時に配置された場合において、２つの第１の光検出器によって２つの対象物体の各々の位置を確実に検出することができる。言い換えれば、例えば、検出領域に配置された２つの対象物体を１つの物体として誤って検出してしまうことを低減できる。
【００１０】
よって、例えば、複数の対象物体が検出領域を分割してなる複数の領域の各々に１つずつ同時に配置された場合において、複数の第１の光検出器によって複数の対象物体の各々の位置を確実に検出することができる（即ち、検出領域において、いわゆる「多点検出」が可能となる）。言い換えれば、例えば、検出領域に配置された複数の対象物体を１つの物体として誤って検出してしまうことを低減できる。
【００１１】
つまり、本発明では特に、検出領域を複数の領域に分割して、該領域毎に第１の光検出器を設けることで、検出領域において第１及び第２の位置検出光が対象物体によって反射された光の検出を、複数の第１の光検出器で該領域毎に分担している。よって、検出領域に配置された複数の対象物体を１つの物体として誤って検出してしまうことを低減できる。
【００１２】
更に、本発明では、第１及び第２の位置検出用光源から第１及び第２の位置検出光を検出領域に対して出射させ、対象物体によって反射された光を、例えば２つや４つなどの複数の第１の光検出器によって検出するという簡易な構成を有している。よって、仮に、検出領域の周辺に、分解能に対応する多数の光源及び光検出器或いは光スイッチや導光構造などを配列させる場合と比較して、光源、光検出器等の数が少なく、低コスト化及び低消費電力化を図ることができる。
【００１３】
以上説明したように、本発明の位置検出装置によれば、簡易な構成を有し、検出領域において複数の対象物体の位置を検出することができる。
【００１４】
本発明の位置検出装置の一態様では、前記複数の第１の光検出器は、各々の光検出可能領域が前記検出領域において互いに重ならないように、配置される。
【００１５】
この態様によれば、複数の第１の光検出器の各々の光検出領域が、互いに重ならないので、複数の第１の光検出器の各々による対象物体の位置を検出する検出精度を高めることができる。即ち、複数の第１の光検出器の各々は、各々が対応する領域からの光のみを検出する（即ち、対応しない領域からの光が混じることが殆ど或いは全くない）ので、対応する領域における対象物体の位置を精度良く検出することができる。
【００１６】
尚、本発明に係る「光検出可能領域」は、光検出器が光を検出可能な平面領域或いは空間領域であり、言い換えれば、光検出器が有する受光素子が受光可能な平面領域或いは空間領域である。
【００１７】
本発明の位置検出装置の他の態様では、前記複数の第１の光検出器によって検出される検出値に基づいて前記対象物体の位置情報を取得する位置情報取得手段を備える。
【００１８】
この態様によれば、位置情報取得手段は、例えば、第１の光検出器によって検出される検出値に基づいて、第１及び第２の位置検出光についての光量比、位相差などのデータを導出し、このデータから検出領域内における第１の方向（例えば、第１の位置検出用光源から第２の位置検出用光源へ向かう方向）における位置情報を取得する。よって、検出領域内における対象物体の位置を検出することができる。尚、位置情報取得手段は、例えばプロセッサ、メモリ等を備えて構成される。位置情報取得手段は、位置検出装置自体に含まれる必要はなく、例えば、位置検出装置が搭載される電子機器内の例えばＭＰＵ（Micro Processing Unit）や電子回路を含む制御部によって構成されてもよい。但し、位置検出装置自体が位置情報取得手段を備えることで、取得した位置情報をそのまま搭載されるべき電子機器に出力することができるというメリットもある。
【００１９】
本発明の位置検出装置の他の態様では、前記複数の第１の光検出器は、各々の光検出可能領域を調節する調節部材を夫々有する。
【００２０】
この態様によれば、第１の光検出器は、例えばスリット或いはレンズ等の調節部材を有しており、第１の光検出器の光検出可能領域が、例えば対応する領域を含むように、調節部材によって調節されている。よって、複数の第１の光検出器の各々によって、各々が対応する領域からの光を確実に検出することができる。
【００２１】
本発明の位置検出装置の他の態様では、前記第１の位置検出光が入射される第１の光入射面、前記第２の位置検出光が入射される第２の光入射面、並びに、前記第１及び第２の光入射面に交差し、入射された前記第１及び第２の位置検出光を前記検出領域に対して出射する光出射面を有する導光板を備える。
【００２２】
この態様によれば、第１及び第２の位置検出用光源から出射される第１及び第２の位置検出光を導光板によって検出領域へ確実に導くことができる。
【００２３】
上述した導光板を備える態様では、前記複数の第１の光検出器は、前記導光板の第１辺に沿って配列され、前記複数の第１の光検出器の各々の光検出可能領域は、前記第１辺に交わる方向に延びるように、前記調節部材によって調節されてもよい。
【００２４】
この場合には、例えば、複数の対象物体が、検出領域において、導光板の第１辺に交わる方向に沿って配列されたときに、複数の対象物体を１つの物体として誤って検出してしまうことを低減できる。
【００２５】
上述した導光板を備える態様では、前記複数の第１の光検出器は、前記導光板に対して前記光出射面側に配置されてもよい。
【００２６】
この場合には、複数の第１の光検出器は、第１及び第２の位置検出光が対象物体によって反射された光を、導光板を介することなく直接的に検出することができる。
【００２７】
上述した導光板を備える態様では、前記複数の第１の光検出器は、前記導光板に対して前記光出射面と反対側に配置されてもよい。
【００２８】
この場合には、複数の第１の検出器を配置する自由度を高めることができ、実践上有利である。
【００２９】
本発明の位置検出装置の他の態様では、前記検出領域を前記第１領域及び第２領域とは異なる分割範囲で少なくとも２分割してなる第３領域及び第４領域の夫々に対応して設けられ、該対応する第３領域及び第４領域において前記第１及び第２の位置検出光が前記対象物体によって反射された光を夫々検出する複数の第２の光検出器を備える。
【００３０】
この態様によれば、検出領域に配置された複数の対象物体を１つの物体として誤って検出してしまうことをより確実に低減できる。例えば、第１領域に２つの対象物体が同時に配置された場合であっても、この第１領域が２つの第３及び第４領域と重なっており、２つの対象物体が互いに異なる第３及び第４領域に配置されていれば、該第３及び第４領域に対応して設けられた２つの第２の光検出器によって２つの対象物体の各々の位置を確実に検出することができる。
【００３１】
本発明の位置検出装置の他の態様では、前記複数の第１の光検出器と前記複数の第２の光検出器とは、互いに異なるタイミングで光を検出するように駆動される。
【００３２】
この態様によれば、検出領域に配置された複数の対象物体を１つの物体として誤って検出してしまうことをより確実に低減できる。
【００３３】
本発明の電気光学装置は上記課題を解決するために、上述した本発明の位置検出装置（但し、その各種態様も含む）と、前記検出領域に少なくとも部分的に重なる表示領域を有する電気光学パネルと、を備える。
【００３４】
本発明の電気光学装置によれば、上述した位置検出装置を備えるので、例えば低コスト化及び低消費電力化を図ることが可能であると共に、電気光学パネルの表示領域における複数の対象物体の位置を検出することが可能である。
【００３５】
本発明の電子機器は上記課題を解決するために、上述した本発明の電気光学装置（但し、その各種態様も含む）を具備してなる。
【００３６】
本発明の電子機器によれば、上述した本発明の電気光学装置を具備してなるので、例えば低コスト化及び低消費電力化を図ることが可能であると共に表示領域における複数の対象物体の位置を検出可能な、カーナビゲーションシステム、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置、電子放出装置（Field Emission Display及びConduction Electron-Emitter Display）、これら電気泳動装置、電子放出装置を用いた表示装置を実現することも可能である。
【００３７】
本発明の作用及び他の利得は次に説明する実施するための最良の形態から明らかにされる。
【図面の簡単な説明】
【００３８】
【図１】第１実施形態に係る液晶装置の全体構成を示す分解斜視図である。
【図２】第１実施形態に係る液晶装置の全体構成を模式的に示す断面図である。
【図３】第１実施形態に係る位置検出装置の構成を模式的に示す平面図である。
【図４】比較例に係る位置検出装置を模式的に示す平面図である。
【図５】第２実施形態に係る位置検出装置を模式的に示す平面図である。
【図６】第３実施形態に係る位置検出装置を模式的に示す平面図である。
【図７】第３実施形態に係る位置検出装置を模式的に示す平面図である。
【図８】第４実施形態に係る位置検出装置を模式的に示す平面図である。
【図９】第４実施形態に係る光検出器の構成を示す模式図である。
【図１０】第５実施形態に係る位置検出装置を模式的に示す平面図である。
【図１１】第６実施形態に係る位置検出装置における光検出器の配置を模式的に示す断面図である。
【図１２】本発明に係る電気光学装置を適用した電子機器の一例たるカーナビゲーションシステムの構成を示す斜視図である。
【発明を実施するための形態】
【００３９】
以下では、本発明の実施形態について図を参照しつつ説明する。尚、以下の実施形態では、本発明の位置検出装置を備える電気光学装置として、液晶装置を例にとる。
【００４０】
＜第１実施形態＞
本発明の第１実施形態について、図１から図３を参照して説明する。
【００４１】
先ず、本実施形態に係る液晶装置の全体構成について、図１及び図２を参照して説明する。
【００４２】
図１は、本実施形態に係る液晶装置の全体構成を示す分解斜視図である。図２は、本実施形態に係る液晶装置の全体構成を模式的に示す断面図である。
【００４３】
図１及び図２において、本実施形態に係る液晶装置１００は、液晶パネル２０と、照明ユニット４０と、位置検出ユニット１０と、光反射板１４と、光学シート１６と、光検出器１５Ａ及び１５Ｂとを備えている。尚、位置検出ユニット１０、光検出器１５Ａ及び１５Ｂが、本発明に係る「位置検出装置」の一例を構成する。即ち、本実施形態に係る位置検出装置は、位置検出ユニット１０と、光検出器１５Ａ及び１５Ｂとを備えている。また、本実施形態に係る位置検出装置は、後述するように、液晶パネル２０の表示領域２０Ｒに一致する本発明に係る「検出領域」の一例としての検出平面領域１０Ｒにおける対象物体Ｏｂの平面位置を検出することが可能に構成されている。但し、検出平面領域１０Ｒは、表示領域２０Ｒの少なくとも一部に平面的に重なっていればよく、表示領域２０Ｒに完全に一致していなくてもよい。
【００４４】
液晶パネル２０は、ＴＦＴ（Thin Film Transistor）等のスイッチング素子によって液晶素子を駆動するアクティブマトリクス駆動方式の表示パネルであり、表示領域２０Ｒにおいて画像を表示することが可能に構成されている。尚、液晶パネル２０は、本発明に係る「電気光学パネル」の一例である。
【００４５】
液晶パネル２０は、例えばガラス等の透光性材料から夫々形成された第１基板２１及び第２基板２２間に液晶層２４（図２参照）が挟持された構造を有する透過型の液晶パネルとして構成されている。第１基板２１及び第２基板２２は、枠状のシール材２３（図２参照）によって互いに貼り合わされている。この枠状のシール材２３によって規定される領域に液晶層２４が設けられている。尚、本発明では、液晶パネル２０は、特定の構成に限定されず、周知の種々の構成を採り得る。
【００４６】
より具体的には、液晶パネル２０の第１基板２１には、第２基板２２の外形より周囲に張り出した基板張出部２１ｔが設けられている。基板張出部２１ｔ（より正確には、基板張出部２１ｔにおける第２基板２２側の表面）上には、例えば液晶パネル２０を駆動するための駆動回路等を含む電子部品２５や、例えばフレキシブル配線基板（ＦＰＣ：Flexible Printed Circuit）等の配線部材２６が実装されている。但し、基板張出部２１ｔ上には、電子部品２５及び配線部材２６のうち配線部材２６のみが実装されていてもよいし、電子部品２５及び配線部材２６のいずれも実装されていなくてもよい。尚、第１基板２１及び第２基板２２の外面側には、必要に応じて、偏光板（図示省略）が配置されてもよい。
【００４７】
図２に示すように、液晶パネル２０の視認側（即ち、操作側）には透光性（或いは光透過性）を有する表装板３０が配置されている。表装板３０の外面（即ち、液晶パネル２０とは反対側の面、つまり、視認側の面）上に後述する光検出器１５Ａ及び１５Ｂが配置されている。また、表装板３０の外面側には、液晶装置１００を保持固定するための枠体や液晶装置１００を搭載する電子機器の筐体などで構成される表面板３１（図２中、二点鎖線で示す）が配置されている。この表面板３１には、表装板３０のうち液晶パネル２０の表示領域２０Ｒ（言い換えれば、本実施形態に係る位置検出装置の検出平面領域１０Ｒ）を露出させる開口部３１ａが設けられている。
【００４８】
図１及び図２において、照明ユニット４０は、照明用光源４１と、照明用導光板４３とを有しており、液晶パネル２０に対して照射光Ｌ４を照射するバックライトとして機能することが可能に構成されている。
【００４９】
照明用光源４１は、例えばＬＥＤ（Light Emitting Diode）等の発光素子で構成され、図示しない駆動回路から出力される駆動信号に応じて例えば白色の照射光Ｌ４を放出する。本実施形態では、複数の照明用光源４１が、照明用導光板４３の一側面である光入射面（或いは入光端面）４３ａに沿って配列されている。液晶装置１００の動作時には、照明用光源４１からの照射光Ｌ４が照明用導光板４３の光入射面４３ａに入射される。
【００５０】
照明用導光板４３は、透光性材料から形成されており、光入射面４３ａに入射される照明用光源４１からの照射光Ｌ４を、液晶パネル２０が配置される側の光出射面４３ｓから出射して、液晶パネル４０へと導くライトガイドとして機能する。
【００５１】
位置検出ユニット１０は、後述する光検出器１５Ａ及び１５Ｂと共に、本実施形態に係る位置検出装置を構成している。位置検出ユニット１０は、位置検出用光源１２Ａ、１２Ｂ、１２Ｃ及び１２Ｄと、導光板１３とを備えている。
【００５２】
位置検出用光源１２Ａ〜１２Ｄは、例えばＬＥＤ等の発光素子で構成され、図示しない駆動回路から出力される駆動信号に応じて例えば赤外線である位置検出光Ｌ２ａ、Ｌ２ｂ、Ｌ２ｃ及びＬ２ｄを放出する。位置検出光は、特に限定されないが、信号処理等によって外光と区別して検出可能なものが好ましく、可視光と波長分布が異なるか、或いは、点滅するなど変調が加えられることで発光態様が異なることが好ましい。また、例えば指やタッチペン等の対象物体Ｏｂにより効率的に反射される波長域を有することが好ましい。例えば、対象物体Ｏｂが指等の人体であれば、人体の表面で反射率の高い赤外線（特に菓子光領域に近い近赤外線、例えば波長で８５０ｎｍ付近）であることが好ましい。
【００５３】
位置検出用光源１２Ａ〜１２Ｄは、導光板１３の４つの角部に１つずつ、各々の発光面が導光板１３の中央を向くように配置されている。
【００５４】
より具体的には、位置検出用光源１２Ａは、その発光面が、導光板１３の側面１３ａと側面１３ｄと間に位置する角部に形成された光入射面１３ｖａに対向するように配置されており、位置検出用光源１２Ｂは、その発光面が、導光板１３の側面１３ａと側面１３ｂと間に位置する角部に形成された光入射面１３ｖｂに対向するように配置されており、位置検出用光源１２Ｃは、導光板１３の側面１３ｂと側面１３ｃと間に位置する角部に形成された光入射面１３ｖｃに対向するように配置されており、位置検出用光源１２Ｄは、導光板１３の側面１３ｃと側面１３ｄと間に位置する角部に形成された光入射面１３ｖｄに対向するように配置されている。液晶装置１００の動作時には、位置検出用光源１２Ａからの位置検出光Ｌ２ａが導光板１３の光入射面１３ｖａに入射され、位置検出用光源１２Ｂからの位置検出光Ｌ２ｂが導光板１３の光入射面１３ｖｂに入射され、位置検出用光源１２Ｃからの位置検出光Ｌ２ｃが導光板１３の光入射面１３ｖｃに入射され、位置検出用光源１２Ｄからの位置検出光Ｌ２ｄが導光板１３の光入射面１３ｖｄに入射される。よって、位置検出光Ｌ２ａ〜Ｌ２ｄは、導光板１３の内部を互いに異なる方向に伝搬しながら、それらの伝搬方向に沿って徐々に光出射面１３ｓから出射される。
【００５５】
導光板１３は、例えばポリカーボネートやアクリル樹脂等の透光性材料から形成されている。本実施形態では、導光板１３は、平面視矩形状で全体として平板状に構成されている。導光板１３の４つの角部に形成された光入射面１３ｖａ〜１３ｖｄに、上述した位置検出用光源１２Ａ〜１２Ｄがそれぞれ設けられている。
【００５６】
導光板１３の光出射面１３ｓ又はこの光出射面１３ｓの反対の背面である光反射面１３ｔには、図示しない表面凹凸構造、プリズム構造、散乱層などが設けられ、このような光散乱構造によって、導光板１３の光入射面１３ｖａ〜１３ｖｄから入射して内部を伝搬する光は、その伝搬方向に進むに従って徐々に偏向されて光出射面１３ｓから出射するように構成されている。この結果、位置検出光Ｌ２ａ〜Ｌ２ｄは並行して導光板１３の光出射面１３ｓから面状に放出される。例えば、位置検出光Ｌ２ａは、光入射面１３ｖａから光入射面１３ｖｃ、側面１３ｃ及び側面１３ｂに向けて導光板１３の内部を伝搬しながら徐々に光出射面１３ｓから放出されていく。
【００５７】
導光板１３の光出射面１３ｓから面状に放出された位置検出光Ｌ２ａ〜Ｌ２ｄは、照射用導光板４３、光学シート１６、液晶パネル２０及び表装板３０を透過して、表装板３０の視認側（即ち、操作側、つまり、対象物体Ｏｂが配置される側）の検出平面領域１０Ｒ全体から出射される。表装板３０の視認側に例えば指等の対象物体Ｏｂが配置されると、検出平面領域１０Ｒから出射された位置検出光Ｌ２ａ〜Ｌ２ｄが対象物体Ｏｂによって反射され、その反射光の一部が後述する光検出器１５Ａ或いは１５Ｂによって検出される。
【００５８】
光反射板１４は、例えば反射シートから構成されており、導光板１３の光反射面１３ｔに対向するように配置されている。光反射板１４は、導光板１３の光反射面１３ｔから出射された光を反射して、導光板１３の内部へ戻す。
【００５９】
光学シート１６は、導光板１３の光出射面１３ｓ側（本実施形態では、照明用導光板４３の光出射面４３ｓ側）に配置されている。光学シート１６は、位置検出光Ｌ２ａ〜Ｌ２ｄや照明光Ｌ４の均一化を図るための光拡散板、位置検出光Ｌ２ａ〜Ｌ２ｄや照明光Ｌ４の指向性を高めるためのプリズムシート等の集光板などの光学シートである。尚、光学シート１６としては、導光板１３の光出射面１３から出射される位置検出光Ｌ２ａ〜Ｌ２ｄの出射角（光出射面１３ｓの法線方向との角度）が小さくなるように屈折させるための集光シートが用いられることが好ましい。これによって位置検出光Ｌ２ａ〜Ｌ２ｄが効率的に視認側（即ち、操作側）に出射され、高精度の、しかも安定した位置検出が可能となるように構成できる。
【００６０】
光検出器１５Ａ及び１５Ｂは、本発明に係る「複数の第１の光検出器」の一例であり、上述した表装板３０の外面上に配置されている。光検出器１５Ａ及び１５Ｂは、例えばフォトダイオード等の受光素子を含んで構成され、上述した位置検出光Ｌ２ａ〜Ｌ２ｄ（即ち、対象物体Ｏｂによって反射された位置検出光Ｌ２ａ〜Ｌ２ｄ）の強度を検出可能となるように構成されている。例えば、位置検出光Ｌ２ａ〜Ｌ２ｄが赤外線であれば、光検出器１５Ａ及び１５Ｂも赤外線に感度を有する受光素子を含んで構成される。光検出器１５Ａ及び１５Ｂの受光感度を位置検出光Ｌ２ａ〜Ｌ２ｄの波長域を選択的に検出できるように選定することにより、外光などの他の光による影響を低減できる。光検出器１５Ａ及び１５Ｂの各々は、光を検出可能な光検出可能領域を調節する例えばレンズやスリット等の調節部材を有している。本実施形態では、図３を参照して後に詳細に説明するが、光検出器１５Ａの光検出可能領域１５ＡＲは、検出平面領域１０Ｒを側面１３ｂに沿う方向に沿って（即ち、図中Ｙ方向に沿って）２つに分割してなる２つの部分領域１０ＲＡ及び１０ＲＢのうち一方の部分領域１０ＲＡを含むように調節され、光検出器１５Ｂの光検出可能領域１５ＢＲは、この２つの部分領域１０ＲＡ及び１０ＲＢのうち他方の部分領域１０ＲＢを含むように調節されている。液晶装置１００の動作時に、検出平面領域１０Ｒのうち部分領域１０ＲＡに例えば指等の対象物体Ｏｂが配置されると、位置検出ユニット１０から出射された位置検出光Ｌ２ａ〜Ｌ２ｄが部分領域１０ＲＡにおける対象物体Ｏｂによって反射され、その反射光の一部が光検出器１５Ａによって検出される。他方、検出平面領域１０Ｒのうち部分領域１０ＲＢに例えば指等の対象物体Ｏｂが配置されると、位置検出ユニット１０から出射された位置検出光Ｌ２ａ〜Ｌ２ｄが部分領域１０ＲＢにおける対象物体Ｏｂによって反射され、その反射光の一部が光検出器１５Ｂによって検出される。
【００６１】
次に、光検出器１５Ａによって検出される検出値に基づいて部分領域１０ＲＡにおける対象物体Ｏｂの平面位置情報（位置座標）を取得する取得方法について説明する。尚、光検出器Ｂによって検出される検出値に基づいて部分領域１０ＲＢにおける対象物体Ｏｂの平面位置情報を取得する取得方法は、光検出器Ａによって検出される検出値に基づいて部分領域１０ＲＡにおける対象物体Ｏｂの平面位置情報を取得する取得方法と概ね同様である。
【００６２】
この平面位置情報を取得する方法としては種々のものが考えられるが、例えば、その一例として、２つの位置検出光の検出光量の比率に基づいてそれらの減衰係数の比率を求め、この減衰係数の比率から両位置検出光の伝播距離を求めることにより、対応する２つの光源を結ぶ方向の位置座標を求める方法が挙げられる。
【００６３】
より具体的には、２つの位置検出用光源として第１の位置検出用光源１２Ａ及び第３の位置検出用光源１２Ｃを用いる場合を例に挙げて説明すると、第１の位置検出用光源１２Ａの制御量（例えば電流量）、変換係数及び放出光量をそれぞれＩａ、ｋ及びＥａとし、第２の位置検出用光源１２Ｃの制御量（例えば電流量）、変換係数及び放出光量をそれぞれＩｃ、ｋ及びＥｃとすれば、Ｅａ＝ｋ・Ｉａ、Ｅｃ＝ｋ・Ｉｃとなる。また、位置検出光Ｌ２ａの減衰係数及び検出光量をそれぞれｆａ及びＧａとし、位置検出光Ｌ２ｃの減衰係数及び検出光量をそれぞれｆｃ及びＧｃとすれば、Ｇａ＝ｆａ・Ｅａ＝ｆａ・ｋ・Ｉａ、Ｇｂ＝ｆｃ・Ｅｃ＝ｆｃ・ｋ・Ｉｃとなる。
【００６４】
従って、光検出器１５Ａにおいて両位置検出光の検出光量の比であるＧａ／Ｇｃが検出できるとすれば、Ｇａ／Ｇｃ＝（ｆａ・Ｅａ）／（ｆｃ・Ｅｃ）＝（ｆａ／ｆｃ）・（Ｉａ／Ｉｃ）となるから、放出光量の比Ｅａ／Ｅｃ及び制御量の比Ｉａ／Ｉｃに相当する値が分かれば、減衰係数の比ｆａ／ｆｃが判明する。この減衰係数の比と両位置検出光の伝播距離との比の間には正の相関があるので、この相関関係を予め設定しておくことで、対象物体Ｏｂの平面位置情報（第１の位置検出光源１２Ａから第３の位置検出光源１２Ｃへ向かう方向の位置座標）を得ることができる。
【００６５】
上述した減衰係数の比ｆａ／ｆｃを求める方法としては、例えば、第１の位置検出用光源１２Ａと第３の位置検出用光源１２Ｃとを逆相で点滅（例えば、矩形波状若しくは正弦波状の駆動信号を伝播距離の差に起因する位相差が無視できる周波数で相互に１８０度の位相差を持つように動作）させた上で、検出光量の波形を解析する。より現実的には、例えば、一方の制御量Ｉａを固定し（Ｉａ＝Ｉｍ）、検出波形が観測できなくなるように（即ち、検出光量の比Ｇａ／Ｇｃが０となるように）他方の制御量Ｉｃを制御し、このときの制御量Ｉｃ＝Ｉｍ・（ｆａ／ｆｃ）から上述した減衰係数の比（ｆａ／ｆｃ）を導出する。
【００６６】
また、両制御量の和が常に一定Ｉｍ＝Ｉａ＋Ｉｃとなるように制御してもよい。この場合には、Ｉｃ＝Ｉｍ・Ｉｃ／（ｆａ＋ｆｃ）となるので、ｆｃ／（ｆａ＋ｆｃ）＝αとすると、ｆａ／ｆｃ＝（１−α）／αにより、減衰係数の比が求まる。
【００６７】
本実施形態の場合、対象物体Ｏｂの第１の位置検出光源１２Ａから第３の位置検出光源１２Ｃへ向かう方向の位置情報は、第１の位置検出用光源１２Ａと第３の位置検出用光源１２Ｃとを相互に逆相で駆動することで取得することができる。また、同様に、対象物体Ｏｂの第２の位置検出光源１２Ｂから第４の位置検出光源１２Ｄへ向かう方向の位置情報は、第３の位置検出用光源１２Ｃと第４の位置検出用光源１２Ｄとを相互に逆相で駆動することで取得することができる。従って、制御系において上記２つの方向の検出動作を順次行うことにより、部分領域１０ＲＡにおける対象物体Ｏｂの位置座標を取得できる。
【００６８】
また、位置検出用光源１２Ａ、位置検出用光源１２Ｄを第１の位置検出用光源として同相で駆動し、位置検出用光源１２Ｂ、位置検出用光源１２Ｃを第２の位置検出用光源として同相で駆動して、第１の位置検出用光源と第２の位置検出用光源とを相互に逆相で駆動して検出する場合と、位置検出用光源１２Ａ、位置検出用光源１２Ｂを第１の位置検出用光源として同相で駆動し、位置検出用光源１２Ｃ、位置検出用光源１２Ｄを第２位の置検出用光源として同相で駆動して、第１の位置検出用光源と第２の位置検出用光源とを相互に逆相で駆動して検出する場合とを切り換えて順次に座標を求めることでも、対象物体Ｏｂの平面上の位置座標を取得できる。このような位置検出用光源を複数同時に点灯する構成によれば、例えば、第１の位置検出用光源から、対向する第２の位置検出用光源に向かう方向、あるいはその逆方向の出射光量分布（位置検出光の明暗傾斜分布）が、１つの位置検出用光源を点灯する構成よりも広い範囲で好適に得られるため、より正確な位置検出が可能である。
【００６９】
上述した対象物体Ｏｂの平面位置情報の取得は、例えば電子部品２５の一部として含まれるマイクロプロセッサ等から構成される位置情報取得手段によって行われる。尚、位置情報取得手段は、所定のソフトウエア（動作プログラム）を実行することによって平面位置情報を取得する構成としてもよいし、例えば論理回路等のハードウエアを用いて所定の処理を行うことで平面位置情報を取得する構成としてもよい。また、このような位置情報取得手段は、液晶装置１００の一部として組み込まれていてもよいし、液晶装置１００が搭載される電子機器の内部において構成されていてもよい。
【００７０】
尚、平面位置情報の取得方法としては、上述したような導光板１３の内部の伝搬距離に対応する第１の位置検出光と第２の位置検出光との光量比に基づく方法の他、例えば、導光板１３の内部の伝搬距離に対応する第１の位置検出光と第２の位置検出光の位相差に基づく方法も考えられる。この場合には、当該位相差の大小と上記伝搬距離の差との関係に応じて対象物体Ｏｂの平面位置情報を算出することができる。
【００７１】
以上のように、本実施形態に係る位置検出装置によれば、部分領域１０ＲＡに配置された対象物体Ｏｂによって反射される位置検出光Ｌ２ａ〜Ｌ２ｄを光検出器１５Ａによって検出することにより、検出された検出値に基づいて、例えば、位置検出光Ｌ２ａ〜Ｌ２ｄの光量比や位相差等のデータを導出でき、このデータから対象物体Ｏｂの部分領域１０ＲＡにおける平面位置情報を取得することができる（即ち、検出平面領域１０Ｒのうち部分領域１０ＲＡ内における対象物体Ｏｂの平面位置を検出することができる）。同様に、本実施形態に係る位置検出装置によれば、部分領域１０ＲＢに配置された対象物体Ｏｂによって反射される位置検出光Ｌ２ａ〜Ｌ２ｄを光検出器１５Ｂによって検出することにより、検出された検出値に基づいて、例えば、位置検出光Ｌ２ａ〜Ｌ２ｄの光量比や位相差等のデータを導出でき、このデータから対象物体Ｏｂの部分領域１０ＲＢにおける平面位置情報を取得することができる（即ち、検出平面領域１０Ｒのうち部分領域１０ＲＢ内における対象物体Ｏｂの平面位置を検出することができる）。このように、本実施形態に係る位置検出装置によれば、検出平面領域１０Ｒ（即ち、部分領域１０ＲＡ及び１０ＲＢ）内における対象物体Ｏｂの平面位置を検出することができる。
【００７２】
次に、本実施形態に係る位置検出装置の構成について、図３を参照して説明を加える。
【００７３】
図３は、本実施形態に係る位置検出装置の構成を模式的に示す平面図である。
【００７４】
図３において、本実施形態では特に、光検出器１５Ａ及び１５Ｂは、検出平面領域１０Ｒを２つに分割してなる部分領域１０ＲＡ及び１０ＲＢに夫々対応して設けられている。尚、部分領域１０ＲＡは、本発明に係る「第１領域」の一例であり、部分領域１０ＲＢは、本発明に係る「第２領域」の一例である。
【００７５】
具体的には、光検出器１５Ａは、検出平面領域１０Ｒのうち部分領域１０ＲＡに対応して設けられ、光検出器１５Ａの光検出可能領域１５ＡＲは、部分領域１０ＲＡを含むように且つ部分領域１０ＲＢを含まないように、例えばレンズ等の調節部材によって調節されている。光検出器１５Ｂは、検出平面領域１０Ｒのうち部分領域１０ＲＢに対応して設けられ、光検出器１５Ｂの光検出可能領域１５ＢＲは、部分領域１０ＲＢを含むように且つ部分領域１０ＲＡを含まないように、例えばレンズ等の調節部材によって調節されている。言い換えれば、光検出器１５Ａ及び１５Ｂは、光検出可能領域１５ＡＲが部分領域１０ＲＡを含むと共に光検出可能領域１５ＢＲが部分領域１０ＲＢを含むように、且つ、光検出可能領域１５ＡＲ及び１５ＢＲが互いに重ならないように、配置されている。
【００７６】
よって、検出平面領域１０Ｒのうち部分領域１０ＲＡに配置された例えば指やタッチペン等の対象物体Ｏｂ１からの反射光Ｌｒ１（即ち、位置検出ユニット１０から出射された位置検出光Ｌ２ａ〜Ｌ２ｄが対象物体Ｏｂ１によって反射された光）を、光検出器１５Ａによって検出することができると共に、検出平面領域１０Ｒのうち部分領域１０ＲＢに配置された例えば指やタッチペン等の対象物体Ｏｂ２からの反射光Ｌｒ２（即ち、位置検出ユニット１０から出射された位置検出光Ｌ２ａ〜Ｌ２ｄが対象物体Ｏｂ２によって反射された光）を、光検出器１５Ｂによって検出することができる。即ち、本実施形態では特に、光検出器１５Ａは、検出平面領域１０Ｒを構成する２つの部分領域１０ＲＡ及び１０ＲＢのうち対応する一方の部分領域１０ＲＡからの反射光Ｌｒ１を検出し、光検出器１５Ｂは、検出平面領域１０Ｒを構成する２つの部分領域１０ＲＡ及び１０ＲＢのうち対応する他方の部分領域１０ＲＢからの反射光Ｌｒ２を検出する。
【００７７】
したがって、例えば、２つの対象物体Ｏｂ１及びＯｂ２が検出平面領域１０Ｒにおいて２つの部分領域１０ＲＡ及び１０ＲＢの各々に１つずつ同時に配置された場合において、２つの光検出器１５Ａ及び１５Ｂによって２つの対象物体Ｏｂ１及びＯｂ２の各々の平面位置を確実に検出することができる。言い換えれば、例えば、検出平面領域１０Ｒに同時に配置された２つの対象物体Ｏｂ１及びＯｂ２を１つの物体として誤って検出してしまうことを低減できる。
【００７８】
つまり、本実施形態では特に、検出平面領域１０Ｒを２つの部分領域１０ＲＡ及び１０ＲＢに分割して、部分領域毎に光検出器を設けることで、検出平面領域１０Ｒにおいて位置検出光Ｌ２ａ〜Ｌ２ｄが２つの対象物体Ｏｂ１及びＯｂ２によって反射された光の検出を、２つの光検出器１５Ａ及び１５Ｂで部分領域毎に分担している。よって、検出平面領域１０Ｒに配置された２つの対象物体Ｏｂ１及びＯｂ２を１つの物体として誤って検出してしまうことを低減できる。
【００７９】
更に、本実施形態では、４つの位置検出用光源１２Ａ〜１２Ｄから位置検出光Ｌ２ａ〜Ｌ２ｄを検出平面領域１０Ｒに対して出射させ、対象物体Ｏｂによって反射された光を、２つの光検出器１５Ａ及び１５Ｂによって検出するという簡易な構成を有している。よって、仮に、検出平面領域１０Ｒの周辺に、分解能に対応する多数の光源及び光検出器或いは光スイッチや導光構造などを配列させる場合と比較して、光源、光検出器等の数が少なく、低コスト化及び低消費電力化を図ることができる。
【００８０】
次に、比較例に係る位置検出装置について、図４を参照して説明する。
【００８１】
図４は、比較例に係る位置検出装置を模式的に示す平面図である。
【００８２】
図４において、比較例に係る位置検出装置は、上述した本実施形態に係る光検出器１５Ａ及び１５Ｂに代えて光検出器１５ｑを備える点で、上述した本実施形態に係る位置検出装置と異なり、その他の点については、上述した本実施形態に係る位置検出装置と概ね同様に構成されている。
【００８３】
図４に示すように、比較例に係る位置検出装置では、４つの位置検出用光源１２Ａ〜１２Ｄからの位置検出光Ｌ２ａ〜Ｌ２ｄが検出平面領域１０Ｒ内で対象物体Ｏｂ（図４中、対象物体Ｏｂ１或いはＯｂ２）によって反射された光を、１つの光検出器１５ｑによって検出することにより、検出平面領域１０Ｒにおける対象物体Ｏｂの平面位置を検出するように構成されている。
【００８４】
このように構成された比較例に係る位置検出装置では、検出平面領域１０Ｒに２つの対象物体Ｏｂ１及びＯｂ２が同時に配置された場合には、光検出器１５ｑによって検出される光の強度は１つであるため（即ち、光検出器１５ｑは対象物体Ｏｂ１からの反射光Ｌ１ｒと対象物体Ｏｂ２からの反射光Ｌ２ｒとを区別せずに１つの対象物体からの反射光として検出するため）、２つの対象物体Ｏｂ１及びＯｂ２を、１つの対象物体Ｏｂ’として誤って検出してしまう。
【００８５】
しかるに、本実施形態によれば、上述したように、検出平面領域１０Ｒを構成する２つの部分領域１０ＲＡ及び１０ＲＢのうち一方の部分領域１０ＲＡに配置された対象物体Ｏｂ１からの反射光Ｌｒ１については、光検出器１５Ａによって検出し、他方の部分領域１０ＲＢに配置された対象物体１０ＲＢからの反射光Ｌｒ２については、光検出器１５Ｂによって検出するように構成されているので、検出平面領域１０Ｒに配置された２つの対象物体Ｏｂ１及びＯｂ２を１つの対象物体Ｏｂ’として誤って検出してしまうことを低減できる。
【００８６】
＜第２実施形態＞
本発明の第２実施形態について、図５を参照して説明する。尚、図５において、図１から図３に示した第１実施形態に係る構成要素と同様の構成要素に同一の参照符合を付し、それらの説明は適宜省略する。
【００８７】
図５は、第２実施形態に係る位置検出装置を模式的に示す平面図である。
【００８８】
図５において、第２実施形態に係る位置検出装置は、上述した第１実施形態に係る位置検出装置と比較して、部分領域１０ＲＡ及び１０ＲＢの形状（言い換えれば、検出平面領域１０Ｒを２つの部分領域１０ＲＡ及び１０ＲＢに分割する分割パターン）、並びに光検出器１５Ａ及び１５Ｂの配置が異なり、その他の点については、上述した第１実施形態に係る位置検出装置と概ね同様に構成されている。
【００８９】
本実施形態では、光検出器１５Ａは、導光板１３の４つの角部のうち位置検出用光源１２Ａが設けられた角部に対応する領域に、その受光面が導光板１３の側面１３ｃ側を向くように配置されている。光検出器１５Ｂは、導光板１３の４つの角部のうち位置検出用光源１２Ｃが設けられた角部に対応する領域に、その受光面が導光板１３の側面１３ａ側を向くように配置されている。光検出器１５Ａの光検出可能領域１５ＡＲは、検出平面領域１０Ｒを側面１３ａに対して斜めに交わる方向に沿って（より具体的には、位置検出用光源１２Ａから位置検出用光源１２Ｃに向かう方向に概ね沿って）２つに分割してなる２つの部分領域１０ＲＡ及び１０ＲＢのうち一方の部分領域１０ＲＡを含むように調節されている。光検出器１５Ｂの光検出可能領域１５ＢＲは、この２つの部分領域１０ＲＡ及び１０ＲＢのうち他方の部分領域１０ＲＢを含むように調節されている。液晶装置１００の動作時に、検出平面領域１０Ｒのうち部分領域１０ＲＡに例えば指等の対象物体Ｏｂ１が配置されると、位置検出ユニット１０から出射された位置検出光Ｌ２ａ〜Ｌ２ｄが部分領域１０ＲＡにおける対象物体Ｏｂ１によって反射され、その反射光Ｌｒ１の一部が光検出器１５Ａによって検出される。他方、検出平面領域１０Ｒのうち部分領域１０ＲＢに例えば指等の対象物体Ｏｂ２が配置されると、位置検出ユニット１０から出射された位置検出光Ｌ２ａ〜Ｌ２ｄが部分領域１０ＲＢにおける対象物体Ｏｂ２によって反射され、その反射光の一部が光検出器１５Ｂによって検出される。
【００９０】
よって、本実施形態によれば、上述した第１実施形態と概ね同様に、例えば、２つの対象物体Ｏｂ１及びＯｂ２が検出平面領域１０Ｒにおいて２つの部分領域１０ＲＡ及び１０ＲＢの各々に１つずつ同時に配置された場合において、２つの光検出器１５Ａ及び１５Ｂによって２つの対象物体Ｏｂ１及びＯｂ２の各々の平面位置を確実に検出することができる。言い換えれば、例えば、検出平面領域１０Ｒに配置された２つの対象物体Ｏｂ１及びＯｂ２を１つの物体として誤って検出してしまうことを低減できる。
【００９１】
＜第３実施形態＞
本発明の第３実施形態について、図６及び図７を参照して説明する。尚、図６及び図７において、図１から図３に示した第１実施形態に係る構成要素と同様の構成要素に同一の参照符合を付し、それらの説明は適宜省略する。
【００９２】
図６及び図７は、第３実施形態に係る位置検出装置を模式的に示す平面図である。尚、図６では、第３実施形態に係る位置検出装置の構成を、光検出器１５Ａ及び１５Ｂの各々の光検出可能領域１５ＡＲ及び１５ＢＲと共に示し、図７では、第３実施形態に係る位置検出装置の構成を、光検出器１５Ｃ及び１５Ｄの各々の光検出可能領域１５ＣＲ及び１５ＤＲと共に示している。
【００９３】
図６及び図７において、第３実施形態に係る位置検出装置は、光検出器１５Ｃ及び１５Ｄを更に備える点で、上述した第１実施形態に係る位置検出装置と異なり、その他の点については、上述した本実施形態に係る位置検出装置と概ね同様に構成されている。
【００９４】
図６に示すように、本実施形態では、上述した第１実施形態と同様に、光検出器１５Ａ及び１５Ｂは、検出平面領域１０Ｒに対して導光板１３の側面１３ａ側に配置されている。光検出器１５Ａの光検出可能領域１５ＡＲは、検出平面領域１０Ｒを側面１３ｂに沿って（即ち、図中Ｙ方向に沿って）２つに分割する第１分割パターンで分割されてなる２つの部分領域１０ＲＡ及び１０ＲＢのうち一方の部分領域１０ＲＡを含むように調節され、光検出器１５Ｂの光検出可能領域１５ＢＲは、この第１分割パターンで分割された２つの部分領域１０ＲＡ及び１０ＲＢのうち他方の部分領域１０ＲＢを含むように調節されている。
【００９５】
本実施形態に係る位置検出装置は、光検出器１５Ａ及び１５Ｂに加えて、光検出器１５Ａ及び１５Ｂとは異なるタイミングで光を検出するように駆動される光検出器１５Ｃ及び１５Ｄを備えている。
【００９６】
図７に示すように、光検出器１５Ｃ及び１５Ｄは、検出平面領域１０Ｒに対して導光板１３の側面１３ｂ側に配置されている。光検出器１５Ｃ及び１５Ｄは、光検出器１５Ａ及び１５Ｂと同様に、上述した表装板３０（図２参照）の外面上に配置されている。光検出器１５Ｃ及び１５Ｄは、光検出器１５Ａ及び１５Ｂと同様に、例えばフォトダイオード等の受光素子を含んで構成され、位置検出光Ｌ２ａ〜Ｌ２ｄの強度を検出可能となるように構成されている。光検出器１５Ｃの光検出可能領域１５ＣＲは、検出平面領域１０Ｒを側面１３ｃに沿って（即ち、図中Ｘ方向に沿って）２つに分割する第２分割パターンで分割されてなる２つの部分領域１０ＲＣ及び１０ＲＤのうち一方の部分領域１０ＲＣを含むように調節され、光検出器１５Ｄの光検出可能領域１５ＤＲは、この２つの部分領域１０ＲＣ及び１０ＲＤのうち他方の部分領域１０ＲＤを含むように調節されている。言い換えれば、光検出器１５Ｃは、検出平面領域１０Ｒのうち部分領域１０ＲＣに対応して設けられ、光検出器１５Ｃの光検出可能領域１５ＣＲは、部分領域１０ＲＣを含むように且つ部分領域１０ＲＤを含まないように、例えばレンズ等の調節部材によって調節されている。光検出器１５Ｄは、検出平面領域１０Ｒのうち部分領域１０ＲＤに対応して設けられ、光検出器１５Ｄの光検出可能領域１５ＤＲは、部分領域１０ＲＤを含むように且つ部分領域１０ＲＣを含まないように、例えばレンズ等の調節部材によって調節されている。言い換えれば、光検出器１５Ｃ及び１５Ｄは、光検出可能領域１５ＣＲが部分領域１０ＲＣを含むと共に光検出可能領域１５ＤＲが部分領域１０ＲＤを含むように、且つ、光検出可能領域１５ＣＲ及び１５ＤＲが互いに重ならないように、配置されている。尚、部分領域１０ＲＣは、本発明に係る「第３領域」の一例であり、部分領域１０ＲＤは、本発明に係る「第４領域」の一例である。
【００９７】
つまり、光検出器１５Ｃ及び１５Ｄは、光検出器１５Ａ及び１５Ｂに係る第１分割パターン（即ち、検出平面領域１０Ｒを部分領域１０ＲＡ及び１０ＲＢに分割する分割パターン）とは異なる第２分割パターンで分割された部分領域１０ＲＣ及び１０ＲＤに夫々対応して設けられている。よって、検出平面領域１０Ｒのうち部分領域１０ＲＣに配置された例えば指やタッチペン等の対象物体Ｏｂ３からの反射光Ｌｒ３（即ち、位置検出ユニット１０から出射された位置検出光Ｌ２ａ〜Ｌ２ｄが対象物体Ｏｂ３によって反射された光）を、光検出器１５Ｃによって検出することができると共に、検出平面領域１０Ｒのうち部分領域１０ＲＤに配置された例えば指やタッチペン等の対象物体Ｏｂ３からの反射光Ｌｒ４（即ち、位置検出ユニット１０から出射された位置検出光Ｌ２ａ〜Ｌ２ｄが対象物体Ｏｂ４によって反射された光）を、光検出器１５Ｄによって検出することができる。
【００９８】
したがって、検出平面領域１０Ｒに配置された複数の対象物体を１つの物体として誤って検出してしまうことをより確実に低減できる。例えば、部分領域１０ＲＢ（図６参照）に２つの対象物体Ｏｂ３及びＯｂ４（図７参照）が同時に配置された場合であっても、部分領域１０ＲＢが２つの部分領域１０ＲＣ及び１０ＲＤと重なっており、２つの対象物体Ｏｂ３及びＯｂ４が互いに異なる部分領域１０ＲＣ及び１０ＲＤに配置されていれば、部分領域１０ＲＣ及び１０ＲＤに夫々対応して設けられた光検出器１５Ｃ及び１５Ｄによって２つの対象物体Ｏｂ３及びＯｂ４の各々の位置を確実に検出することができる。
【００９９】
＜第４実施形態＞
本発明の第４実施形態について、図８を参照して説明する。尚、図８において、図１から図３に示した第１実施形態に係る構成要素と同様の構成要素に同一の参照符合を付し、それらの説明は適宜省略する。
【０１００】
図８は、第４実施形態に係る位置検出装置を模式的に示す平面図である。
【０１０１】
図８において、第４実施形態に係る位置検出装置は、光検出器１５Ａ及び１５Ｂに代えて光検出器１５ｄＡ、１５ｄＢ、１５ｄＣ及び１５ｄＤを更に備える点で、上述した第１実施形態に係る位置検出装置と異なり、その他の点については、上述した第１実施形態に係る位置検出装置と概ね同様に構成されている。
【０１０２】
光検出器１５ｄＡ〜１５ｄＤは、検出平面領域１０Ｒに対して導光板１３の側面１３ａ側に配置され、この側面１３ａに沿って（即ち、図中Ｘ方向に沿って）配列されている。光検出器１５ｄＡ〜１５ｄＤは、上述した第１実施形態における光検出器１５Ａ及び１５Ｂと同様に、上述した表装板３０（図２参照）の外面上に配置されている。光検出器１５ｄＡ〜１５ｄＤは、上述した第１実施形態における光検出器１５Ａ及び１５Ｂと同様に、例えばフォトダイオード等の受光素子を含んで構成され、位置検出光Ｌ２ａ〜Ｌ２ｄの強度を検出可能となるように構成されている。光検出器１５ｄＡの光検出可能領域１５ｄＡＲは、検出平面領域１０Ｒを側面１３ｂに沿う方向に沿って（即ち、図中Ｙ方向に沿って）４つに分割してなる４つの部分領域１０ＲｄＡ、１０ＲｄＢ、１０ＲｄＣ及び１０ＲｄＤのうち部分領域１０ＲｄＡを含むように調節され、光検出器１５ｄＢの光検出可能領域１５ｄＢＲは、この４つの部分領域１０ＲｄＡ、１０ＲｄＢ、１０ＲｄＣ及び１０ＲｄＤのうち部分領域１０ＲｄＢを含むように調節され、光検出器１５ｄＣの光検出可能領域１５ｄＣＲは、この４つの部分領域１０ＲｄＡ、１０ＲｄＢ、１０ＲｄＣ及び１０ＲｄＤのうち部分領域１０ＲｄＣを含むように調節され、光検出器１５ｄＤの光検出可能領域１５ｄＤＲは、この４つの部分領域１０ＲｄＡ、１０ＲｄＢ、１０ＲｄＣ及び１０ＲｄＤのうち部分領域１０ＲｄＤを含むように調節されている。言い換えれば、光検出器１５ｄＡは、検出平面領域１０Ｒのうち部分領域１０ＲｄＡに対応して設けられ、光検出器１５ｄＡの光検出可能領域１５ｄＡＲは、部分領域１０ＲｄＡを含むように且つ部分領域１０ＲｄＢ、部分領域１０ＲｄＣ及び部分領域１０ＲｄＤを含まないように、後述する調節部材によって調節されている。光検出器１５ｄＢは、検出平面領域１０Ｒのうち部分領域１０ＲｄＢに対応して設けられ、光検出器１５ｄＢの光検出可能領域１５ｄＢＲは、部分領域１０ＲｄＢを含むように且つ部分領域１０ＲｄＡ、部分領域１０ＲｄＣ及び部分領域１０ＲｄＤを含まないように、後述する調節部材によって調節されている。光検出器１５ｄＣは、検出平面領域１０Ｒのうち部分領域１０ＲｄＣに対応して設けられ、光検出器１５ｄＣの光検出可能領域１５ｄＣＲは、部分領域１０ＲｄＣを含むように且つ部分領域１０ＲｄＡ、部分領域１０ＲｄＢ及び部分領域１０ＲｄＤを含まないように、後述する調節部材によって調節されている。光検出器１５ｄＤは、検出平面領域１０Ｒのうち部分領域１０ＲｄＤに対応して設けられ、光検出器１５ｄＤの光検出可能領域１５ｄＤＲは、部分領域１０ＲｄＤを含むように且つ部分領域１０ＲｄＡ、部分領域１０ＲｄＢ及び部分領域１０ＲｄＣを含まないように、後述する調節部材によって調節されている。言い換えれば、光検出器１５ｄＡ〜１５ｄＤは、光検出可能領域１５ｄＡＲが部分領域１０ＲｄＡを含むように、且つ、光検出可能領域１５ｄＢＲが部分領域１０ＲｄＢを含むように、且つ、光検出可能領域１５ｄＣＲが部分領域１０ＲｄＣを含むように、且つ、光検出可能領域１５ｄＤＲが部分領域１０ＲｄＤを含むように、且つ、光検出可能領域１５ｄＡＲ、１５ｄＢＲ、１５ｄＣＲ及び１５ｄＤＲが互いに重ならないように、配置されている。光検出可能領域１５ｄＡＲ、１５ｄＢＲ、１５ｄＣＲ及び１５ｄＤＲの各々は、光検出器１５ｄＡ〜１５ｄＤが配列される方向（即ち、図中Ｘ方向）と交わる方向（即ち、図中Ｙ方向）に延びるように、調節部材によって調節されている。
【０１０３】
よって、検出平面領域１０Ｒのうち部分領域１０ＲｄＡに配置された対象物体Ｏｂ１からの反射光Ｌｒ１を、光検出器１５ｄＡによって検出することができ、検出平面領域１０Ｒのうち部分領域１０ＲｄＢに配置された対象物体Ｏｂ２からの反射光Ｌｒ２を、光検出器１５ｄＢによって検出することができ、検出平面領域１０Ｒのうち部分領域１０ＲｄＣに配置された対象物体Ｏｂ３からの反射光Ｌｒ３を、光検出器１５ｄＣによって検出することができ、検出平面領域１０Ｒのうち部分領域１０ＲｄＤに配置された対象物体Ｏｂ４からの反射光Ｌｒ４を、光検出器１５ｄＤによって検出することができる。
【０１０４】
したがって、例えば、４つの対象物体Ｏｂ１、Ｏｂ２、Ｏｂ３及びＯｂ４が検出平面領域１０Ｒにおいて４つの部分領域１０ＲｄＡ、１０ＲｄＢ、１０ＲｄＣ及び１０ＲｄＤの各々に１つずつ同時に配置された場合において、４つの光検出器１５ｄＡ、１５ｄＢ、１５ｄＣ及び１５ｄＤによって４つの対象物体Ｏｂ１、Ｏｂ２、Ｏｂ３及びＯｂ４の各々の平面位置を確実に検出することができる。言い換えれば、例えば、検出平面領域１０Ｒに同時に配置された４つの対象物体Ｏｂ１〜Ｏｂ４を１つの物体として誤って検出してしまうことを低減できる。
【０１０５】
つまり、本実施形態では特に、検出平面領域１０Ｒを４つの部分領域１０ＲｄＡ、１０ＲｄＢ、１０ＲｄＣ及び１０ＲｄＤに分割して、部分領域毎に光検出器を設けることで、検出平面領域１０Ｒにおいて位置検出光Ｌ２ａ〜Ｌ２ｄが４つの対象物体Ｏｂ１〜Ｏｂ４によって反射された光の検出を、４つの光検出器１５ｄＡ〜１５ｄＤで部分領域毎に分担している。よって、検出平面領域１０Ｒに配置された４つの対象物体Ｏｂ１〜Ｏｂ４を１つの物体として誤って検出してしまうことを低減できる。
【０１０６】
ここで、図９を参照して、光検出器の構成について説明する。尚、ここでは、光検出器１５ｄＡの構成について説明するが、光検出器１５ｄＢ、１５ｄＣ及び１５ｄＤは、光検出器１５ｄＡと概ね同様に構成されている。
【０１０７】
図９は、本実施形態に係る光検出器の構成を示す模式図である。
【０１０８】
図９において、光検出器１５ｄＡは、例えばフォトダイオード等の受光素子１５１と、調節部材１５２とを備えている。調節部材１５２には、スリット１５２ｓが形成されている。受光素子１５１に入射される光（例えば、対象物体Ｏｂ１からの反射光Ｌｒ１）は、このスリット１５２ｓによって制限される。言い換えれば、光検出器１５ｄＡの光検出可能領域１５ｄＡＲは、スリット１５２ｓによって規定されている。このようなスリット１５２ｓが形成された調節部材１５２によれば、光検出器１５ｄＡの光検出可能領域１５ｄＡを容易に調節することができる。
【０１０９】
＜第５実施形態＞
本発明の第５実施形態について、図１０を参照して説明する。尚、図１０において、図１から図３に示した第１実施形態に係る構成要素と同様の構成要素に同一の参照符合を付し、それらの説明は適宜省略する。
【０１１０】
図１０は、第５実施形態に係る位置検出装置を模式的に示す平面図である。
【０１１１】
図１０において、第５実施形態に係る位置検出装置は、光検出器１５Ａ及び１５Ｂに代えて光検出器１５ｅＡ、１５ｅＢ、１５ｅＣ及び１５ｅＤを更に備える点で、上述した第１実施形態に係る位置検出装置と異なり、その他の点については、上述した第１実施形態に係る位置検出装置と概ね同様に構成されている。
【０１１２】
光検出器１５ｅＡ〜１５ｅＤは、検出平面領域１０Ｒの中央に配置されている。光検出器１５ｄＡ〜１５ｄＤは、上述した表装板３０（図２参照）の外面上に配置されている。尚、光検出器１５ｄＡ〜１５ｄＤは、表装板３０の外面とは反対側の面（即ち、表装板３０の液晶パネル２０側の面）上に配置されてもよいし、或いは、導光板１３の光反射面１３ｔ側に配置されてもよい。
【０１１３】
光検出器１５ｅＡ〜１５ｅＤは、上述した第１実施形態における光検出器１５Ａ及び１５Ｂと同様に、例えばフォトダイオード等の受光素子を含んで構成され、位置検出光Ｌ２ａ〜Ｌ２ｄの強度を検出可能となるように構成されている。光検出器１５ｅＡの光検出可能領域１５ｄＡＲは、検出平面領域１０Ｒを、検出平面領域１０Ｒの中央で互いに交差する２本の分割線によって４つに分割してなる４つの部分領域１０ＲｅＡ、１０ＲｅＢ、１０ＲｅＣ及び１０ＲｅＤのうち部分領域１０ＲｅＡを含むように調節され、光検出器１５ｅＢの光検出可能領域１５ｅＢＲは、この４つの部分領域１０ＲｅＡ、１０ＲｅＢ、１０ＲｅＣ及び１０ＲｅＤのうち部分領域１０ＲｅＢを含むように調節され、光検出器１５ｅＣの光検出可能領域１５ｅＣＲは、この４つの部分領域１０ＲｅＡ、１０ＲｅＢ、１０ＲｅＣ及び１０ＲｅＣのうち部分領域１０ＲｅＣを含むように調節され、光検出器１５ｅＤの光検出可能領域１５ｅＤＲは、この４つの部分領域１０ＲｅＡ、１０ＲｅＢ、１０ＲｅＣ及び１０ＲｅＤのうち部分領域１０ＲｅＤを含むように調節されている。尚、上述した２本の分割線は、説明の便宜のための仮想的な線であり、本実施形態では、２本の分割線のうち一の分割線は、Ｘ方向に沿って延び、他の分割線は、Ｙ方向に沿って延びる。この２本の分割線は、検出平面領域１０Ｒの中央で互いに交差する。この２本の分割線が交差する位置の近傍に、光検出器１５ｅＡ〜１５ｅＤが配置されている。
【０１１４】
言い換えれば、光検出器１５ｅＡは、検出平面領域１０Ｒのうち部分領域１０ＲｅＡに対応して設けられ、光検出器１５ｅＡの光検出可能領域１５ｅＡＲは、部分領域１０ＲｅＡを含むように且つ部分領域１０ＲｅＢ、部分領域１０ＲｅＣ及び部分領域１０ＲｅＤを含まないように、例えばレンズやスリット等の調節部材によって調節されている。光検出器１５ｅＢは、検出平面領域１０Ｒのうち部分領域１０ＲｅＢに対応して設けられ、光検出器１５ｅＢの光検出可能領域１５ｅＢＲは、部分領域１０ＲｅＢを含むように且つ部分領域１０ＲｅＡ、部分領域１０ＲｅＣ及び部分領域１０ＲｅＤを含まないように、例えばレンズやスリット等の調節部材によって調節されている。光検出器１５ｅＣは、検出平面領域１０Ｒのうち部分領域１０ＲｅＣに対応して設けられ、光検出器１５ｅＣの光検出可能領域１５ｅＣＲは、部分領域１０ＲｅＣを含むように且つ部分領域１０ＲｅＡ、部分領域１０ＲｅＢ及び部分領域１０ＲｅＤを含まないように、例えばレンズやスリット等の調節部材によって調節されている。光検出器１５ｅＤは、検出平面領域１０Ｒのうち部分領域１０ＲｅＤに対応して設けられ、光検出器１５ｅＤの光検出可能領域１ｅｄＤＲは、部分領域１０ＲｅＤを含むように且つ部分領域１０ＲｅＡ、部分領域１０ＲｅＢ及び部分領域１０ＲｅＣを含まないように、例えばレンズやスリット等の調節部材によって調節されている。言い換えれば、光検出器１５ｅＡ〜１５ｅＤは、光検出可能領域１５ｅＡＲが部分領域１０ＲｅＡを含むように、且つ、光検出可能領域１５ｅＢＲが部分領域１０ＲｅＢを含むように、且つ、光検出可能領域１５ｅＣＲが部分領域１０ＲｅＣを含むように、且つ、光検出可能領域１５ｅＤＲが部分領域１０ＲｅＤを含むように、且つ、光検出可能領域１５ｅＡＲ、１５ｅＢＲ、１５ｅＣＲ及び１５ｅＤＲが互いに重ならないように、配置されている。
【０１１５】
よって、検出平面領域１０Ｒのうち部分領域１０ＲｅＡに配置された対象物体Ｏｂ１からの反射光Ｌｒ１を、光検出器１５ｅＡによって検出することができ、検出平面領域１０Ｒのうち部分領域１０ＲｅＢに配置された対象物体Ｏｂ２からの反射光Ｌｒ２を、光検出器１５ｅＢによって検出することができ、検出平面領域１０Ｒのうち部分領域１０ＲｅＣに配置された対象物体Ｏｂ３からの反射光Ｌｒ３を、光検出器１５ｅＣによって検出することができ、検出平面領域１０Ｒのうち部分領域１０ＲｅＤに配置された対象物体Ｏｂ４からの反射光Ｌｒ４を、光検出器１５ｅＤによって検出することができる。
【０１１６】
したがって、例えば、４つの対象物体Ｏｂ１、Ｏｂ２、Ｏｂ３及びＯｂ４が検出平面領域１０Ｒにおいて４つの部分領域１０ＲｅＡ、１０ＲｅＢ、１０ＲｅＣ及び１０ＲｅＤの各々に１つずつ同時に配置された場合において、４つの光検出器１５ｅＡ、１５ｅＢ、１５ｅＣ及び１５ｅＤによって４つの対象物体Ｏｂ１、Ｏｂ２、Ｏｂ３及びＯｂ４の各々の平面位置を確実に検出することができる。言い換えれば、例えば、検出平面領域１０Ｒに同時に配置された４つの対象物体Ｏｂ１〜Ｏｂ４を１つの物体として誤って検出してしまうことを低減できる。
【０１１７】
＜第６実施形態＞
本発明の第６実施形態について、図１１を参照して説明する。尚、図１１において、図１から図３に示した第１実施形態に係る構成要素と同様の構成要素に同一の参照符合を付し、それらの説明は適宜省略する。
【０１１８】
図１１は、第６実施形態に係る位置検出装置における光検出器の配置を模式的に示す断面図である。
【０１１９】
上述した第１〜第５実施形態では、検出領域が平面領域である場合を例に挙げて説明したが、本発明に係る位置検出装置は、検出領域が空間領域である場合にも適用することができる。
【０１２０】
図１１に示すように、表装板３０の外面側に規定される本発明に係る「検出領域」の一例としての検出空間領域１０Ｓを２つの部分領域１０ＳＡ及び１０ＳＢに分割して、各部分領域を光検出可能領域として含む光検出器１５ｆＡ及び１５ｆＢを設けてもよい。
【０１２１】
光検出器１５ｆＡ及び１５ｆＢは、上述した第１実施形態における光検出器１５Ａ及び１５Ｂと同様に、例えばフォトダイオード等の受光素子を含んで構成され、位置検出光Ｌ２ａ〜Ｌ２ｄの強度を検出可能となるように構成されている。光検出器１５ｆＡの光検出可能領域１５ｆＡＲは、検出空間領域１０Ｓを、例えば表装板３０の外面に沿う平面に沿って２つに分割してなる２つの部分領域１０ＳＡ及び１０ＳＢのうち部分領域１０ＳＡを含むように調節され、光検出器１５ｆＢの光検出可能領域１５ｆＢＲは、この２つの部分領域１０ＳＡ及び１０ＳＢのうち部分領域１０ＳＢを含むように調節されている。言い換えれば、光検出器１５ｆＡは、検出空間領域１０Ｓのうち部分領域１０ＳＡに対応して設けられ、光検出器１５ｆＡの光検出可能領域１５ｆＡＲは、部分領域１０ＳＡを含むように且つ部分領域１０ＳＢを含まないように、例えばレンズやスリット等の調節部材によって調節されている。光検出器１５ｆＢは、検出空間領域１０Ｓのうち部分領域１０ＳＢに対応して設けられ、光検出器１５ｆＢの光検出可能領域１５ｆＢＲは、部分領域１０ＳＢを含むように且つ部分領域１０ＳＡを含まないように、例えばレンズやスリット等の調節部材によって調節されている。言い換えれば、光検出器１５ｆＡ及び１５ｆＢは、光検出可能領域１５ｆＡＲが部分領域１０ＳＡを含むと共に光検出可能領域１５ｆＢＲが部分領域１０ＳＢを含むように、且つ、光検出可能領域１５ｆＡＲ及び１５ｆＢＲが互いに重ならないように、配置されている。
【０１２２】
よって、検出空間領域１０Ｓのうち部分領域１０ＳＡに配置された対象物体Ｏｂ１からの反射光Ｌｒ１を、光検出器１５ｆＡによって検出することができると共に、検出空間領域１０Ｓのうち部分領域１０ＲｆＢに配置された対象物体Ｏｂ２からの反射光Ｌｒ２を、光検出器１５ｆＢによって検出することができる。
【０１２３】
したがって、例えば、２つの対象物体Ｏｂ１及びＯｂ２が検出空間領域１０Ｓにおいて２つの部分領域１０ＳＡ及び１０ＳＢの各々に１つずつ同時に配置された場合において、２つの光検出器１５ｆＡ及び１５ｆＢによって２つの対象物体Ｏｂ１及びＯｂ２の各々の空間位置を確実に検出することができる。言い換えれば、例えば、検出空間領域１０Ｓに同時に配置された２つの対象物体Ｏｂ１及びＯｂ２を１つの物体として誤って検出してしまうことを低減できる。
【０１２４】
＜電子機器＞
次に、上述した実施形態に係る液晶装置を適用可能な電子機器の具体例について、図１２を参照して説明する。
【０１２５】
ここでは、上述した第１実施形態に係る位置検出装置を備えた液晶装置を、車載用のカーナビゲーションシステムの表示部に適用した例について説明する。図１２は、カーナビゲーションシステムの構成を示す斜視図である。
【０１２６】
図１２に示すように、カーナビゲーションシステム１２００は、本体１２１０と、この本体１２１０に接続された表示部１２２０とを備えている。本体１２１０には、操作ボタン等を配設した操作面１２１１が設けられると共に、ＤＶＤ等の記録媒体の導入口１２１２が設けられている。表示部１２２０の内部には、上述した実施形態に係る液晶装置１００が格納されており液晶装置１００の表示領域２０Ｒに形成される画像、即ち、ナビゲーション画像の表示が表示部１２２０の表示画面１２２０ａにて視認されるように構成されている。また、表示画面１２２０ａ上に例えば指やタッチペン等の対象物体を配置することで、上述した位置検出光Ｌ２ａ〜Ｌ２ｄが反射され、光検出器１５Ａ及び１５Ｂによって検出されることにより、表示画面１２２０ａ上の対象物体Ｏｂの位置情報を入力することができるように構成されている。
【０１２７】
尚、図１２を参照して説明した電子機器の他にも、可搬型のパーソナルコンピュータ、携帯電話、テレビ、ビューファインダ型、モニタ直視型のビデオテープレコーダ、ページャ、電子手帳、電卓、ワードプロセッサ、ワークステーション、テレビ電話、ＰＯＳ端末等が挙げられる。そして、これらの各種電子機器に適用可能なのは言うまでもない。
【０１２８】
また本発明は、上述の実施形態で説明した液晶装置以外にも、シリコン基板上に素子を形成する反射型液晶装置（ＬＣＯＳ）、プラズマディスプレイ（ＰＤＰ）、電界放出型ディスプレイ（ＦＥＤ、ＳＥＤ）、有機ＥＬディスプレイ、デジタルマイクロミラーデバイス（ＤＭＤ）、電気泳動装置等にも適用可能である。
【０１２９】
本発明は、上述した実施形態に限られるものではなく、特許請求の範囲及び明細書全体から読み取れる発明の要旨或いは思想に反しない範囲で適宜変更可能であり、そのような変更を伴う位置検出装置、電気光学装置及び電子機器もまた本発明の技術的範囲に含まれるものである。
【符号の説明】
【０１３０】
１０…位置検出ユニット、１０Ｒ…検出平面領域、１０ＲＡ、１０ＲＢ…部分領域、１２Ａ、１２Ｂ、１２Ｃ、１２Ｄ…位置検出用光源、１３…導光板、１３ａ、１３ｂ、１３ｃ、１３ｄ…側面、１３ｖａ、１３ｖｂ、１３ｖｃ、１３ｖｄ…光入射面、１３ｓ…光出射面、１５Ａ、１５Ｂ…光検出器、２０…液晶パネル、２０Ｒ…表示領域、１００…液晶装置
【図１】
2010198548.tif 000003
【図２】
2010198548.tif 000004
【図３】
2010198548.tif 000005
【図４】
2010198548.tif 000006
【図５】
2010198548.tif 000007
【図６】
2010198548.tif 000008
【図７】
2010198548.tif 000009
【図８】
2010198548.tif 000010
【図９】
2010198548.tif 000011
【図１０】
2010198548.tif 000012
【図１１】
2010198548.tif 000013
【図１２】
2010198548.tif 000014